(57)【特許請求の範囲】
【請求項１】
支持壁を有する第１のカバーと、この第１のカバーに連結され上記支持壁に向かい合う開口を有する第２のカバーと、を備えたハウジングと；
上記第１のカバーと上記第２のカバーとの間に収容され、上記開口に露出される表示画面を有する表示ユニットと；
この表示ユニットを間に挟んで対向して設けられるとともに、上記表示ユニットを上記ハウジングの所定位置に固定する１対の固定部材と、を具備し、
これら固定部材のそれぞれは、上記ハウジングの所定の位置に固定される第１の固定部と、上記表示ユニットに固定される２つの第２の固定部と、長手方向を有していて第１及び第２の固定部を連結する弾性変形可能な連結部と、を有しており、また、
上記第１の固定部は、上記連結部の上記長手方向に沿って上記２つの第２の固定部の間に位置しており、
上記連結部は、上記表示ユニットの表示画面に沿って上記長手方向と交差する方向に弾性変形可能であることを特徴とする電子機器。
【請求項２】
本体と、
支持壁を有する第１のカバーと、この第１のカバーに連結され上記支持壁に向かい合う開口を有する第２のカバーと、を備えた表示装置と、
この表示装置の第１のカバーと上記第２のカバーとの間に収容され、上記開口に露出される表示画面を有する表示ユニットと、
この表示ユニットを間に挟んで対向して設けられるとともに、上記表示ユニットを上記表示装置の所定位置に固定する１対の固定部材と、を具備し、
これら固定部材のそれぞれは、上記表示装置の所定の位置に固定される第１の固定部と、上記表示ユニットに固定される２つの第２の固定部と、長手方向を有していて第１及び第２の固定部を連結する弾性変形可能な連結部と、を有しており、また、
上記第１の固定部は、上記連結部の上記長手方向に沿って上記２つの第２の固定部の間に位置しており、
上記連結部は、上記表示ユニットの表示画面に沿って上記長手方向と交差する方向に弾性変形可能であることを特徴とする電子機器。
【請求項３】
上記２つの第２の固定部は連結部の上記長手方向の両端部分に配置され、第１の固定部は連結部の上記長手方向における２つの固定部の中間位置に配置されていることを特徴とする請求項１もしくは２に記載の電子機器。
【請求項４】
上記各固定部材の第１の固定部は、上記第１のカバーの支持壁の所定の位置に固定されていることを特徴とする請求項１もしくは２に記載の電子機器。
【請求項５】
上記各固定部材の両端部には、上記ハウジングに固定される第３の固定部が設けられていることを特徴とする請求項１もしくは２に記載の電子機器。
【請求項６】
上記各固定部材の両端部の第３の固定部は、上記第２の固定部よりも外側に配置されていることを特徴とする請求項５に記載の電子機器。
【請求項７】
上記第３の固定部は、上記第１のカバーの支持壁の所定の位置に固定されていることを特徴とする請求項５に記載の電子機器。
【請求項８】
それぞれの固定部材の上記連結部は、上記２つの第２の固定部に対応した２つの部分よりも２つの第２の固定部の間に位置する中間部分が、それぞれの固定部材が設けられている表示ユニットの部分に対し、上記表示ユニットの表示画面に沿い上記長手方向と交差する方向における外方に位置していることを特徴とする請求項１もしくは２に記載の電子機器。
【請求項９】
それぞれの固定部材の連結部の上記中間部分は、上記２つの第２の固定部に対応した上記２つの部分よりも、それぞれの固定部材が設けられている表示ユニットの部分に対し、上記表示ユニットの表示画面に沿い上記長手方向と交差する方向における外方に位置している段部を有していることを特徴とする請求項８に記載の電子機器。
【発明の詳細な説明】
【０００１】
【発明の属する技術分野】
本発明は、開口を有するハウジングとハウジングの内部に収容され上記開口に露出される表示画面を有する表示ユニットとを備える電子機器に関する。
【０００２】
【従来の技術】
例えば、電子機器の一種であるポータブルコンピュータに用いられる液晶表示装置（ＬＣＤ：ｌｉｑｕｉｄ  ｃｒｙｓｔａｌ  ｄｉｓｐｌａｙ）は、ＬＣＤユニットと、このＬＣＤユニットを収容する箱形のハウジングとを備えている。ＬＣＤユニットは、ほぼ扁平な矩形状を有しており、このＬＣＤユニットの一面に画像を表示する表示画面が形成されている。また、ＬＣＤユニットの外周縁には、フレームが取り付けられている。フレームは、表示画面を取り囲んでおり、このフレームにより表示画面の有効表示領域が定められている。
【０００３】
上記ハウジングは、ディスプレイカバーと、このディスプレイカバーに取り外し可能に連結されたディスプレイマスクとを備えている。ディスプレイカバーは、ＬＣＤユニットを支える支持壁を有し、この支持壁の内面の複数の所定の位置にボス部が形成されている。ディスプレイマスクは、支持壁と向かい合う四角い開口を有している。ＬＣＤユニットのフレームの左右両側部のそれぞれには、固定部材が取り付けられている。ＬＣＤユニットは、これら固定部材を介してディスプレイカバーの支持壁の内面の複数の所定位置のボス部に固定されることにより、ディスプレイマスクの開口を介して表示画面を外部空間に露出させている。
【０００４】
このような表示装置を備えた電子機器は、例えば特開２００２−３２８６２２号公報により広く知られている。この公報に開示されている電子機器の表示装置では、固定部材が相互に同じ構成を有している。それぞれの固定部材は、ＬＣＤユニットのフレームの左又は右側部の長手方向に沿った両端部の間で支持壁の内面の２つの所定の位置に形成されているボス部に固定される２つの第１の固定部と、ＬＣＤユニットのフレームの左又は右側部の上記両端部に固定される２つの第２の固定部と、これら第１の固定部と第２の固定部とを連結しＬＣＤユニットの表示画面に沿い左右両側部と交差する方向に弾性変形可能な連結部をと、を有している。
【０００５】
この公知の電子機器のＬＣＤユニットは、フレームの左右両側部に取り付けられている１対の固定部材によりディスプレイカバーの内面の所定の位置に固定されるので、ＬＣＤユニットのフレームの左右両側部の間の寸法がディスプレイマスクの開口の左右両側縁間の寸法と異なっていても、１対の固定部材の連結部の弾性変形のお蔭でＬＣＤユニットの表示画面の中心とディスプレイマスクの開口の中心とが自動的に実質的に一致される。
【０００６】
【特許文献１】
特開２００２−３２８６２２号公報。
【０００７】
【発明が解決しようとする課題】
しかし、上記従来の公知の固定部材では、第１の固定部がＬＣＤユニットのフレームの左又は右側部の長手方向に沿った両端部の間で上記長手方向に相互に離間しているので、上記両端部の２つの第２の固定部とこれら２つの第１の固定部の間に位置している連結部の部分の上記長手方向に沿った長さが短くなってしまう。
【０００８】
かくして、ＬＣＤユニットの表示画面に沿い左右両側部と交差する方向において個々の連結部が許容できる弾性変形たわみ量が少ない。また、それぞれの固定部材は上記両端部の間の２つの第１の固定部によりディスプレイカバーの内面の対応する２つのボス部に固定されるが、この固定時に２つの固定部材のそれぞれの２つの第１の固定部から連結部に負荷される外力をそれぞれの固定部材において実質的に等しくすることが難しく、従来のこのような公知の電子機器における固定部材では、表示ユニットをハウジングに対し容易に高精度で取り付けられないことがあった。
【０００９】
したがって、本発明の目的は、表示ユニットの寸法公差を吸収する必要がある場合であっても、表示ユニットをハウジングに精度よく取り付けることができる電子機器を提供することである。
【００１０】
【課題を解決するための手段】
上記課題を解決するために、本発明の電子機器は、支持壁を有する第１のカバーと、この第１のカバーに連結され上記支持壁に向かい合う開口を有する第２のカバーと、を備えたハウジングと；上記第１のカバーと上記第２のカバーとの間に収容され、上記開口に露出される表示画面を有する表示ユニットと；この表示ユニットを間に挟んで対向して設けられるとともに、上記表示ユニットを上記ハウジングの所定位置に固定する１対の固定部材と、を具備し、これら固定部材のそれぞれは、上記ハウジングの所定の位置に固定される第１の固定部と、上記表示ユニットに固定される２つの第２の固定部と、長手方向を有していて第１及び第２の固定部を連結する弾性変形可能な連結部と、を有しており、また、上記第１の固定部は、上記連結部の上記長手方向に沿って上記２つの第２の固定部の間に位置しており、上記連結部は、上記表示ユニットの表示画面に沿って上記長手方向と交差する方向に弾性変形可能であることを特徴とする。
【００１１】
あるいは、本発明の電子機器は、本体と、支持壁を有する第１のカバーと、この第１のカバーに連結され上記支持壁に向かい合う開口を有する第２のカバーと、を備えた表示装置と、この表示装置の第１のカバーと上記第２のカバーとの間に収容され、上記開口に露出される表示画面を有する表示ユニットと、この表示ユニットを間に挟んで対向して設けられるとともに、上記表示ユニットを上記表示装置の所定位置に固定する１対の固定部材と、を具備し、これら固定部材のそれぞれは、上記表示装置の所定の位置に固定される第１の固定部と、上記表示ユニットに固定される２つの第２の固定部と、長手方向を有していて第１及び第２の固定部を連結する弾性変形可能な連結部と、を有しており、また、上記第１の固定部は、上記連結部の上記長手方向に沿って上記２つの第２の固定部の間に位置しており、上記連結部は、上記表示ユニットの表示画面に沿って上記長手方向と交差する方向に弾性変形可能であることを特徴とする。
【００１２】
【発明の実施の形態】
以下に、添付の図面を参照して、本発明の一実施の形態を説明する。まず図１を参照すると、図１は、本発明の一実施の形態に係る電子機器の全体を示す斜視図である。本実施の形態において、電子機器１は一般にラップトップ型と言われているポータブルコンピュータである。この電子機器１は、データを入力する入力装置と、入力装置により入力されたデータを処理するデータ処理装置と、データ処理装置によりデータから処理された情報を表示する表示装置と、を備えている。
【００１３】
詳細には、入力装置とデータ処理装置とはほぼ扁平な４角形状の箱形であるケース２中に格納されていて、このケース２に表示装置の一種である液晶表示装置３が開位置と閉位置との間で回動可能に連結されている。図１では、ケース２と液晶表示装置３は開位置に配置されている。
【００１４】
開位置のケース２の上面には、液晶表示装置３との連結部分から遠い手前側から上記連結部分に向かい、タッチパネル２０ａを伴ったパームレスト２０と、データを入力する入力装置の一種であるキーボード２２と、がこの順に配置されて外部空間に露出されているのを見ることが出来る。ケース２において上述したデータ処理装置は、パームレスト２０やキーボード２２の下に配置されていてケース２の外部から見ることが出来ない。
【００１５】
ケース２の連結部分は、ケース２の後端縁部において後端縁部の延出方向に所定の距離相互に離間した２つの支持脚２４ａ，２４ｂを有する。これら支持脚２４ａ，２４ｂに対し液晶表示装置３がヒンジ金具などの通常の手段によって上述した如く回動可能に連結されている。
【００１６】
液晶表示装置３は、ケース２の後端縁部の支持脚２４ａ，２４ｂの回動軸を中心として、図１に示されている開位置からケース２の上面のパームレスト２０やキーボード２２を上方から覆うように下方に向かい回動されることが出来、この時に液晶表示装置３はパームレスト２０やキーボード２２を外部空間から閉ざす閉位置に配置される。
【００１７】
液晶表示装置３は、第１のカバーであるディスプレイカバー３０と、第２のカバーであるディスプレイマスク４０と、これらディスプレイカバー３０とディスプレイマスク４０との間に収容されたＬＣＤ（液晶表示装置）ユニット５０と、を備えている。即ち、この実施の形態では、ディスプレイカバー３０とディスプレイマスク４０とがＬＣＤ（液晶表示装置）ユニット５０の為のハウジングに含まれている。
【００１８】
ディスプレイカバー３０は、ほぼ矩形の支持壁３０ａと、この支持壁３０ａの外周縁から起立した周壁３０ｂと、を有する。ディスプレイマスク４０は、ディスプレイカバー３０の周壁３０ｂにより囲まれて支持壁３０ａと向かい合うように配置されている平坦な前壁４０を有しており、前壁４０ａの中央には、ほぼ矩形の開口４０ｂが形成されており、ＬＣＤユニット５０の表示画面が露出している。
【００１９】
図２は、図１の液晶表示装置３をディスプレイマスク４０が取り外された状態で示す正面図である。図２に示されているように、ディスプレイカバー３０の支持壁３０ａには、ディスプレイマスク４０の方に向かって突出した円柱形状の凸部３０ｆと、ねじ締め用のボス部３０ｇとが、それぞれ複数形成されている。この実施の形態においては２つの凸部３０ｆが、支持壁３０ａの左右両側部におけるそれぞれの長手方向のほぼ中央に位置しており、４つのボス部３０ｇが、支持壁３０ａの略４隅に位置されている。
【００２０】
ＬＣＤユニット５０は、平坦な矩形であり、所定の高さ寸法（図１及び図２における上下方向の寸法）と、この高さ寸法より大きい幅寸法（図１及び図２における左右方向の寸法）を有している。このＬＣＤユニット５０の一面は、文字や数字や記号などの画像を表示する矩形状の表示画面５２として構成されている。この表示画面５２は、ＬＣＤユニット５０の幅方向に相互に対向して配置されていて高さ方向に延出している第１及び第２の外周縁部５２ａ，５２ｂと、高さ方向に相互に対向して配置されていて幅方向に延出している第３及び第４の外周縁部５２ｃ，５２ｄとに囲まれている。これら外周縁部５２ａ〜５２ｄは、金属製のフレーム５４に覆われている。したがって、表示画面５２の有効表示領域は、このフレーム５４によって規定されている。
【００２１】
表示画面５２の第１及び第２の外周縁部５２ａ，５２ｂに対応したフレーム５４の２つの部分のそれぞれには、固定部材６０が設けられている。ＬＤＣユニット５０は、これら固定部材６０を介してディスプレイカバー３０の支持壁３０ａの所定の位置に固定されている。
【００２２】
次に図３ないし図５を参照して固定部材６０を詳細に説明するが、図３は、表示画面５２の第１の外周縁部５２ａに対応したフレーム５４の部分に設けられている固定部材６０を示す斜視図であり、図４は、固定部材６０を拡大して示す正面図であり、図５は、図４の固定部材６０の右側面図である。表示画面５２の第１及び第２の外周縁部５２ａ，５２ｂに対応したフレーム５４の２つの部分に設けられた１対の固定部材６０は、互いに同じ構成を有しているので、ここでは、第１の外縁部５２ａに対応して設けられた固定部材６０についてのみ詳述する。
【００２３】
図３に示されているように、フレーム５４において表示画面５２の第１の外周縁部５２ａに対応した部分に設けられている固定部材６０は、上記部分の全長にわたって延出した例えばステンレスからなる細長い形状を有している。したがって、この固定部材６０の長手方向は、ＬＣＤユニット５０の高さ方向と同じであり、表示画面５２に沿って幅方向と直交する。そして、本実施の形態では、固定部材６０の長さ寸法は、フレーム５４において表示画面５２の第１の外周縁部５２ａに対応した部分の長さ寸法とほぼ等しい。
【００２４】
図３ないし４中に示されているように、固定部材６０の長手方向の中央には、第１の固定部である第１のフランジ６２が形成されており、第１のフランジ６２は表示画面５２に沿い上記長手方向と略直交する方向に張り出している。また、この第１のフランジ６２から固定部材６０の長手方向の両端部の方へ所定の距離離間した２つの位置に第２の固定部である締結部６４が設けられている。これら締結部６４のそれぞれは、固定部材６０の長手方向と直交するＬＣＤユニット５０の幅方向に穿孔されたねじ孔６４ａ（図５参照）を有する。各締結部６４は、第１のフランジ６２から等しい距離離間して位置しており、第１のフランジ６２と各締結部６４との間は、それぞれ連結部６６によって連結されている。
【００２５】
固定部材６０の長手方向の両端部には、第３の固定部である２つの第２のフランジ６８が形成されていて、第２のフランジ６８は第１のフランジ６２と同様に張り出している。これら２つの第２のフランジ６８は、それぞれ、締結部６４より上記長手方向における外側に位置しており、締結部６４に隣接している。
【００２６】
すなわち、図４に示されているように、固定部材６０は、第１のフランジを中心としてその長手方向に対称な形状を有しており、上記長手方向において、第１の固定部である第１のフランジ６２は、２つの第２の固定部である締結部６４の間に位置し、これら締結部６４の外側には、第３の固定部である第２のフランジ６８が隣接している。
【００２７】
第１のフランジ６２には、図２中に示されているディスプレイカバー３０の支持壁３０ａの左右両側部の長手方向の中央に位置する凸部３０ｆの中の右側部の長手方向の中央に位置する凸部３０ｆと係合している係止孔６２ａが穿孔されており、第２のフランジ６８には、図２中に示されているディスプレイカバー３０の支持壁３０ａの４隅のボス部３０ｇの中の右側部の長手方向の両端部に位置するボス部３０ｇと突き合わされて共にねじ締めされたねじ挿通孔６８ａが穿孔されている。第２のフランジ６８のねじ挿通孔６８ａは、第１のフランジ６２の係止孔６２ａより大きな径を有している。本実施の形態において、係止孔６２ａの径は約２．５ｍｍ、ねじ挿通孔６８ａの径は約３．５ｍｍである。
【００２８】
図４に示されているように、連結部６６は、第１のフランジ６２から固定部材６０の長手方向に沿って両端部側の方へ締結部６４まで延出している。連結部は、ＬＣＤユニット５０の表示画面５２に沿って、固定部材６０の長手方向と交差する方向に弾性変形可能である。一対の固定部材６０は前述したように相互に同じ構成を有しているので一対の固定部材６０の連結部６６は、相互に弾性力が等しく、一対の固定部材６０のそれぞれの２つの締結部６６がそれらのねじ孔６４ａに挿通されたねじ６４ｂによりＬＣＤユニット５０の第１及び第２の外周縁部５２ａ，５２ｂに対応したフレーム５４の２つの部分のそれぞれの長手方向の両端部に固定されると、連結部６６はＬＣＤユニット５０の表示画面５２に沿い連結部６６の長手方向に対し略直交する方向において第１のフランジ６２が２つの締結部６６よりも外方に位置させるよう相互に同じ変形量で弓形に湾曲する。
【００２９】
本実施の形態では、連結部６６において第１のフランジ６２の両側で２つの締結部６４との間に第１のフランジ６２の係止孔６２ａから相互に等しい距離の位置に２つの段部６６ａが形成されている。これら段部６６ａは、連結部６６ａを、これら段部６６ａに挟まれた第１の連結面６６ｂと、段部６６ａより外側の２つの第２の連結面６６ｃとに規定している。連結部６６が対応するＬＣＤユニット５０の第１及び第２の外周縁部５２ａ，５２ｂに対応したフレーム５４の２つの部分の一方に対し、ＬＣＤユニット５０の表示画面５２に沿い連結部６６の長手方向に対し略直交する方向において第１の連結面６６ｂは第２の連結面６６ｃよりも外方に位置している。
【００３０】
また、図５に示されているように、連結部６６には、軽量化のために複数の肉抜き孔６６ｄが形成されている。これら肉抜き孔６６ｄは、第１のフランジ６２を中心として連結部６６の長手方向の両側部に等しく形成されている。本実施の形態においては、第１の連結面６６ｂには２つ、第２の連結面６６ｃのそれぞれには４つ形成されている。
【００３１】
次に、以上のような構成を有する電子機器１の液晶表示装置３に関する組み立て手順を説明する。
【００３２】
まず、ＬＣＤユニット５０の表示画面５２を挟んだ両側の第１及び第の外周縁部５２ａ，５２ｂに対応したフレーム５４の２つの部分のそれぞれに対し固定部材６０を取り付ける。詳細には、ＬＣＤユニット５０のフレーム５４の上記２つの部分の長手方向の両端部に形成された２つのねじ孔（図示されていない）と、上記２つの部分のそれぞれに対応する固定部材６０の長手方向に相互に離間している２つの締結部６４のねじ孔６４ａとを位置合わせして、ねじなどの通常の締結部材によってこれらを共にねじ締めする。
【００３３】
次に、上述した如く１対の固定部材６０が固定されたＬＣＤユニット５０をディスプレイカバー３０の支持壁３０ａに載置する。そして、支持壁３０ａの左右両側部においてそれらの延出方向の中央に形成された２つの凸部３０ｆを１対の固定部材６０の第１のフランジ６２に形成された係止孔６２ａに挿通させて１対の固定部材６０の第１のフランジ６２を２つの凸部３０ｆに係合する。この状態では、１対の固定部材６０がディスプレイカバー３０の支持壁３０ａの２つの凸部３０ｆに対し均等に発生させる弾性力により、ＬＣＤユニット５０は、表示画面５２の左右方向の中心がディスプレイカバー３０の支持壁３０ａの左右両側部の２つの凸部３０ｆの間の左右方向の中心に対して略一致させることができる。
【００３４】
次に、各固定部材６０の両端部の第２のフランジ６８のねじ挿通孔６６ａに挿通させた図示しない固定ねじを、ディスプレイカバー３０の支持壁３０ａの４隅のボス部３０ａの対応するものにねじ締めする。この時、第２のフランジ６８のねじ挿通孔６６ａは前述した如く第１のフランジ６２の係止孔６２ａよりも径が大きく設定されているので、各固定部材６０の両端部の第２のフランジ６８が上述した如くディスプレイカバー３０の支持壁３０ａの４隅のボス部３０ａにねじ締めにより固定されても、前述した如きディスプレイカバー３０の支持壁３０ａの左右両側部の２つの凸部３０ｆの間の左右方向の中心に対するＬＣＤユニット５０は、表示画面５２の左右方向の中心の一致がずれてしまうことはない。これにより、ＬＣＤユニット５０が、ディスプレイカバー３０の支持壁３０ａの所定の位置常に確実に固定される。
【００３５】
最後に、ディスプレイカバー３０の周壁３０ｂに囲まれた領域にディスプレイマスク４０を嵌め込むと、ディスプレイマスク４０の前壁４０ａがＬＣＤユニット５０のフレーム５４よりも外側の部分を覆い隠す。同時に、ＬＣＤユニット５０の表示画面５２においてフレーム５４で囲まれている前述した有効表示領域がディスプレイマスク４０の開口４０ｂから外部空間に対し露出され、液晶表示装置３の組み立てが完了する。なお、前述したことから明らかなように、上記有効表示領域の左右方向の中心はディスプレイマスク４０の開口４０ｂの左右方向の中心に実質的に一致する。
【００３６】
この実施の形態では、固定部材６０の弾性変形可能な連結部６６において固定部材６０をＬＣＤユニット５０のフレーム５４の側部に固定する為の２つの締結部６４の間の中央に固定部材６０をディスプレイカバー３０の支持壁３０ａに固定する為の第１のフランジ６２が配置されていて、しかも２つの締結部６４が連結部６６の長手方向の両端部に隣接して配置されているので、連結部６６において２つの締結部６４とこれらの間の第１のフランジ６２との間の距離が長く設定され、ＬＣＤユニット５０の表示画面５２に沿い固定部材６０の長手方向に対し交差する方向における連結部６６の許容たわみ量が大きい。また、それぞれの固定部材６０をディスプレイカバー３０の支持壁３０ａに固定する為の第１のフランジ６２が固定部材６０をＬＣＤユニット５０のフレーム５４の側部に固定する為の２つの締結部６４の間の中央に１つしかないので、第１のフランジ６２がディスプレイカバー３０の支持壁３０ａの左右両側部の２つの凸部３０ｆの対応するものに係止された時に、２つの固定部材６０のそれぞれの２つの第１のフランジ６２から連結部６６に負荷される外力が必然的にそれぞれの固定部材６０において実質的に等しくなる。この為に、この実施の形態の電子機器１における１対の固定部材６０では、ＬＤＣユニット５０をディスプレイカバー３０の支持壁３０ａの所定の位置に容易に確実に高精度で取り付けることが出来る。
【００３７】
したがって、この実施の形態では、ＬＤＣユニット５０の表示画面５２とＬＤＣユニット５０を収容するハウジングのディスプレイカバー３０の所定の位置との間の寸法差を吸収して、ＬＤＣユニット５０の表示画面５２に沿い固定部材６０の長手方向に対し交差する方向におけるＬＤＣユニット５０の表示画面５２の有効表示領域の中心と上記ハウジングのディスプレイマスク４０の開口４０ｂの中心とを安価に容易に高精度で位置合わせすることができる。
【００３８】
固定部材６０の許容たわみ量は、固定部材６０の連結部６６の長さ、この実施の形態ではＬＤＣユニット５０の表示画面５２の高さ（図１及び図２における上下方向の寸法）でありＬＤＣユニット５０のフレーム５４において固定部材６０が取り付けられている側部の長手方向の長さ、に比例するので、固定部材６０が取り付けられるＬＤＣユニット５０の表示画面５２のサイズが大きい方が、大きくすることが出来る。本実施の形態においては、表示画面５２のサイズがＡ４サイズのいわゆるラップトップ型のポータブルコンピュータについて説明しているが、例えば１５型、１７型などのさらに大きいサイズの表示画面を有する表示ユニットを使用した表示装置を備えた電子機器に適用することもできる。
【００３９】
連結部６６に設けられている段部６６ａは、ＬＣＤユニット５０のフレーム５４の左右両側部のそれぞれからの固定部材６０の張り出し寸法を大きくすることなく連結部６６の大きなたわみ量を確保している。従って、ＬＣＤユニット５０のフレーム５４の左右両側部のそれぞれからの固定部材６０の張り出し寸法を大きくすることなく連結部６６の大きなたわみ量を確保することが出来るのであれば、段部６６ａに代わる他の構造であってもよい。
【００４０】
上述した実施の形態では、ＬＣＤユニット５０のフレーム５４の左右両側部にのみ固定部材６０が取り付けられていたので、ＬＣＤユニット５０の表示画面５２の中心はディスプレイカバー３０の支持壁３０ａの所定の位置の中心、ひいてはディスプレイマスク４０の開口４０ａの中心、に対し表示画面５２に沿い固定部材６０の連結部６６の長手方向に対し交差する方向である左右方向における位置しか合致させることが出来なかった。しかしながら、ＬＣＤユニット５０のフレーム５４の上下両側部にのみ１対の固定部材６０を上記上下両側部の延出方向に１対の固定部材６０の連結部６６の長手方向を合致させて取り付けることにより、ＬＣＤユニット５０の表示画面５２の中心をディスプレイカバー３０の支持壁３０ａの所定の位置の中心、ひいてはディスプレイマスク４０の開口４０ａの中心、に対し表示画面５２に沿い固定部材６０の連結部６６の長手方向に対し交差する方向である上下方向における位置を合致させることが出来る。
【００４１】
もちろん、ＬＣＤユニット５０のフレーム５４の左右両側部及び上下両側部に（即ち、表示画面５２を挟んで相互に対向する２組の部分に）２対の固定部材６０を上記左右両側部及び上下両側部（即ち、上記２組の部分）の延出方向に２対の固定部材６０の連結部６６の長手方向を合致させて取り付けることにより、ＬＣＤユニット５０の表示画面５２の中心をディスプレイカバー３０の支持壁３０ａの所定の位置の中心、ひいてはディスプレイマスク４０の開口４０ａの中心、に対し表示画面５２に沿い２対の固定部材６０の連結部６６の長手方向に対し交差する方向である左右方向及び上下方向（即ち、上記２組の部分が相互に対向する２つの方向）における位置を合致させることが出来る。
【００４２】
また、ＬＣＤユニットが矩形でない場合であっても、ＬＣＤユニットのような表示装置の表示ユニットの表示画面を挟んだ２つの部分に１対の固定部材を取り付けることによって、表示画面に沿い固定部材の連結部の長手方向に対し交差する方向において上記実施の形態と同様の効果を得ることもできる。
【００４３】
さらには、表示装置の表示ユニットの表示画面を挟んだ複数対の部分に複数対の連結部を設けることにより、表示画面に沿い複数対の連結部が表示画面を挟んで向かい合う複数の方向において上記実施の形態と同様の効果を得ることもできる。
【００４４】
本実施の形態においては、電子機器がラップトップ型のポータブルコンピュータであるとして説明したが、デスクトップ型のポータブルコンピュータや携帯電話やポータブル型ＤＶＤプレーヤーなどの陰極線管やプラズマディスプレイ等の種々の形式の表示ユニットを使用した表示装置を有する他の電子機器にも適用することができる。
【００４５】
【発明の効果】
以上のように、本発明の電子機器では、表示ユニットの寸法公差を吸収する必要がある場合であっても、表示ユニットをハウジングに精度よく取り付けることができる。
【図面の簡単な説明】
【図１】  図１は、本発明の一実施の形態に係る電子機器の全体を示す斜視図である。
【図２】  図２は、図１の液晶表示装置をディスプレイマスクが取り外された状態で示す正面図である。
【図３】  図３は、図１の液晶表示装置のＬＣＤユニットの表示画面の第１の外周縁部に対応したフレームの部分に設けられている固定部材を示す斜視図である。
【図４】  図４は、本発明の一実施の形態に係る固定部材を拡大して示す正面図である。
【図５】  図５は、本発明の一実施の形態に係る固定部材の右側面図である。
【符号の説明】
１…電子機器，３…液晶表示装置（表示装置），２２…キーボード（入力装置），３０…ディスプレイカバー（第１のカバー），３０ａ…支持壁，４０…ディスプレイマスク（第２のカバー），４０ａ…開口，５０…ＬＣＤユニット（表示ユニット），５２…表示画面，６０…固定部材，６２…第１のフランジ（第１の固定部），６４…締結部（第２の固定部），６６…連結部，６６ａ…段部，６８…第２のフランジ（第３の固定部）
【図１】
0003696210.tif 000002
【図２】
0003696210.tif 000003
【図３】
0003696210.tif 000004
【図４】
0003696210.tif 000005
【図５】
0003696210.tif 000006